(57)【特許請求の範囲】
【請求項１】
鞄本体（１）の表皮（２）に多数の小孔（３）をそれぞれ隣接して設け、前記表皮（２）の裏側に透明の合成樹脂シート（４）を当て、前記多数の小孔（３）のそれぞれの周辺部を取り囲むようにして縫製し、前記表皮（２）と合成樹脂シート（４）とを固定し、前記透明の合成樹脂シート（４）は前記表皮（２）のみに縫着されていることを特徴とする鞄。
【請求項２】
前記小孔（３）を一辺が５〜２０ｍｍの四角形内に設けられる大きさとし、小孔（３）どうしの間隔を２〜５ｍｍとしたことを特徴とする請求項１記載の鞄。
【請求項３】
前記隣接する小孔（３）どうしの間隔を等間隔にしたことを特徴とする請求項１または２記載の鞄。
【請求項４】
前記小孔（３）のそれぞれの周辺部を取り囲むようにして二度縫いしたことを特徴とする請求項１〜３の何れか１項に記載の鞄。
【請求項５】
ミシン針（５）の側部にカッター（６）を近設した縫製兼用切断手段（７）を用いて、そのカッター（６）で表皮（２）を切り抜いて小孔（３）を設けると同時に、この小孔（３）の周辺部を取り囲むようにしてミシン針（５）で縫製したことを特徴とする請求項１〜４の何れか１項に記載の鞄。
【請求項６】
鞄本体（１）の表皮（２）に多数の小孔（３）をそれぞれ隣接して設け、前記表皮（２）の裏側に透明の合成樹脂シート（４）を当て、前記多数の小孔（３）のそれぞれの周辺部を取り囲むようにして縫製し、前記表皮（２）と合成樹脂シート（４）とを固定し、前記小孔（３）のそれぞれの周辺部を取り囲むようにして二度縫いしたことを特徴とする鞄。
【発明の詳細な説明】
【技術分野】
【０００１】
この発明は、鞄本体の表皮に多数の小孔を設けた、ランドセルやリュックサック等の背負い鞄、学生鞄、ショルダーバッグなどの各種の鞄に関するものである。
【背景技術】
【０００２】
従来、この種の鞄には、例えば図６、７に示したように、ランドセルＲの蓋板１１における表皮１２に多数個のパンチング孔１３の集合による図柄１４を設け、この図柄１４の裏側に保安用反射シート１５を重ねて貼付により固定し、この反射シート１５の反射面をパンチング孔１３を介して外部に露呈させたものが存在する（特許文献１）。
【０００３】
このような従来の鞄は、パンチング孔１３の集合による図柄１４は全体の体裁を極めて好くし、また保安用反射シート１５は表皮１２により被覆されているので剥れる危惧がないのみならず擦損されることもないとしている。
【０００４】
さらに、この種の鞄には、例えば図８に示したように、ランドセルＲのポケットＰの前面部２１に設けた開口窓孔２２の内面に特殊な装飾シート２３を取り付けたものが存在する（特許文献２）。
【０００５】
このような従来の鞄は、前記装飾シート２３通して、開口窓孔２２の内部に収容したネームカード２４に記載された学童の名前などを見る際に、装飾シート２３に設けた模様が見る角度によって変化し、これに連れて名前も変化して見えるため、開口窓孔２２の装飾効果を一段と高める利点があるとしている。
【先行技術文献】
【特許文献】
【０００６】
【特許文献１】実開昭６３−９９５２３号公報
【特許文献２】実用新案登録第３１２３１８２号公報
【発明の概要】
【発明が解決しようとする課題】
【０００７】
しかしながら、上記特許文献１に示した鞄では、ランドセルＲの蓋板１１における表皮１２に多数個のパンチング孔１３の集合による図柄１４を設け、この図柄１４の裏側に保安用反射シート１５を重ねて、貼付により単に固定しているだけであるので、表皮１２と保安用反射シート１５との固定が弱く、鞄を長年使用すると、表皮１２から保安用反射シート１５が剥がれてしまうことがあるという課題を有していた。
【０００８】
また、上記特許文献１に示した鞄では、表皮１２に多数個のパンチング孔１３を単に設けているだけであり、これらパンチング孔１３の周囲の表皮１２は何の補強もされていないので弱くなっており、鞄を長年使用すると、これら部分の表皮１２が捲れ上がって破損してしまうことがあるという課題を有していた。
【０００９】
さらに、上記特許文献２に示した鞄では、ランドセルＲのポケットＰの前面部２１の開口窓孔２２に特殊な装飾シート２３を取り付けたものとしないと、装飾シート２３に設けた模様が見る角度によって変化するなどして、装飾効果を高めることができないという課題を有していた。
【００１０】
また、上記特許文献２に示した鞄では、前記開口窓孔２２の内部に収容したネームカード２４に記載された学童の名前などを見るために、開口窓孔２２の開口面積を大きくしているので、この開口面積を大きくした開口窓孔２２によって、ポケットＰの前面部２１の強度が弱くなるという課題を有していた。
【００１１】
そこで、この発明は、上記従来の課題を解決するものであり、鞄本体の表皮に設けた多数の小孔と、これらの小孔の内面に取り付けるシートとの固定を堅固なものとし、しかもこれらの多数の小孔の周囲の表皮を補強することにより、長年の使用によっても、その表皮からシ−トが剥がれてしまうことも表皮が破損するようなこともなく、さらに特殊な装飾シートを設けないでも装飾効果を高めることができる鞄を提供することを目的としてなされたものである。
【課題を解決するための手段】
【００１２】
この発明の鞄は、鞄本体１の表皮２に多数の小孔３をそれぞれ隣接して設け、前記表皮２の裏側に透明の合成樹脂シート４を当て、前記多数の小孔３のそれぞれの周辺部を取り囲むようにして縫製し、前記表皮２と合成樹脂シート４とを固定したものとしている。
【００１３】
そして、この発明の鞄は、前記小孔３を一辺が５〜２０ｍｍの四角形内に設けられる大きさとし、小孔３どうしの間隔を２〜５ｍｍとしている。
【００１４】
さらに、この発明の鞄は、前記隣接する小孔３どうしの間隔を等間隔にしている。
【００１５】
また、この発明の鞄は、前記小孔３のそれぞれの周辺部を取り囲むようにして二度縫いしたものとしている。
【００１６】
さらに、この発明の鞄は、ミシン針５の側部にカッター６を近設した縫製兼用切断手段７を用いて、そのカッター６で表皮２を切り抜いて小孔３を設けると同時に、この小孔３の周辺部を取り囲むようにしてミシン針５で縫製したものとしている。
【発明の効果】
【００１７】
この発明の鞄は、以上に述べたように構成されているので、鞄本体の表皮に設けた多数の小孔と、これらの小孔の内面に取り付けるシートとの固定が堅固なものとなり、しかもこれらの多数の小孔の周囲の表皮を補強することにより、長年の使用によっても、その表皮からシ−トが剥がれてしまうことも表皮が破損するようなこともなく、さらに特殊な装飾シートを設けないでも装飾効果を高めることができるものとなった。
【図面の簡単な説明】
【００１８】
【図１】この発明の鞄をランドセルとした実施形態を示しており、そのランドセルのポケット近傍の斜視図である。
【図２】図１中のＡ−Ａ線による断面図である。
【図３】図１中の円で囲んだ部分の拡大図である。
【図４】図３中のＢ−Ｂ線による断面図である。
【図５】この発明の鞄の表皮に多数の孔を設けると同時にこれら多数の孔の周囲を縫製して、透明薄板と鞄の表皮とを固定する状態を示す説明図である。
【図６】従来の鞄としてランドセルの一例を示す全体斜視図である。
【図７】図６に示すランドセルの要部の断面図である。
【図８】従来の鞄としてランドセルの他の例を示しており、そのランドセルのポケット近傍の正面図である。
【発明を実施するための形態】
【００１９】
以下、この発明の鞄を実施するための形態を、図面に基づいて詳細に説明する。
【００２０】
図１は、この発明の鞄をランドセルＲとした実施形態を示しており、そのランドセルＲのポケットＰとその近傍を示している。
【００２１】
鞄本体１のポケットＰにおける表皮２の略中央部には、ハート形の多数の小孔３をそれぞれ隣接してハート形などの図柄をかたどって設けたものとし、前記表皮２の裏側に透明の合成樹脂シート４を当て、前記多数の小孔３のそれぞれの周辺部を取り囲むようにして縫製し、前記表皮２と合成樹脂シート４とを固定したものとしている。さらに、前記多数の小孔３によってかたどられたハート形などの図柄を取り囲むようにして縫製し、前記表皮２と合成樹脂シート４とをより堅固に固定したものとしている。このようにしたポケットＰは、前記多数の小孔３から合成樹脂シート４を通して内部を見ることができるようにしている。
【００２２】
前記小孔３は、円形、楕円形、多角形、星形、ハート形などの各種の形状とすることができ、一辺が５〜２０ｍｍの四角形内に設けられる大きさとしており、隣接する小孔３どうしの間隔を２〜５ｍｍとしている。この場合、隣接する小孔３どうしの間隔は等間隔とするのが、後に述べるように表皮２と合成樹脂シート４とを縫着する作業において、縫い目が同じになるように二度縫いされ、縫い目が纏まり、すっきりしたものとるので、好ましい。そして、図示したように、多数の小孔３によってハート形をかたどったり、その他各種の図柄をかたどったものとしている。このようにすると、ポケットＰ内に収容したネームカード（図示せず）に記載された学童の名前などを見る際に、多数の小孔３によってかたどられた図柄の中に、その名前が見え隠れするため、装飾効果を高めるものとなる。
【００２３】
さらに、前記小孔３のそれぞれの周辺部を取り囲むようにして二度縫いし、前記表皮２と合成樹脂シート４とを縫着して固定したものとすれば、表皮２と合成樹脂シート４との固定はより堅固なものとなる。
【００２４】
この発明の鞄を前記したように構成するには、図５に示したように、ミシン針５の側部にカッター６を近設し、このミシン針５の先端５ａよりカッター６の切刃６ａを上方に配置した縫製兼用切断手段７を用いて、そのカッター６で表皮２を切り抜いて小孔３を設けると同時に、この小孔３の周辺部を取り囲むようにしてミシン針５で縫製して、前記表皮２と合成樹脂シート６とを固定するようにしている。
【００２５】
このような縫製兼用切断手段７では、先ず最初の一個目の小孔３を設けると同時に、この小孔３の周辺部を取り囲むようにして、前記表皮２と合成樹脂シート６とを縫製する作業を行い、次に前記小孔３に近づけて二個目の小孔３を設けると同時に、この小孔３の周辺部を取り囲むようにして、前記表皮２と合成樹脂シート６とを縫製する作業を行う。この場合、カッター６で一個目に設けた小孔３と二個目に設けた小孔３との間を、ミシン針５が二度通過するので、このミシン針５で二度縫いすることができ、三個目、四個目と次々にこの作業を繰り返して行けば、多数の小孔３が設けられたときに、それぞれの小孔３の周辺部を取り囲むようにして二度縫いすることができる。なお、この場合、隣り合う小孔３どうしの間隔が等間隔である場合には、縫い目が同じになるように二度縫いされることになるが、小孔３どうしの間隔が等間隔でない場合には、縫い目がずれて二度縫いされることになる。
【００２６】
したがって、この発明の鞄は、鞄本体１の表皮２に設けた多数の小孔３と、これらの小孔３の内面に取り付ける合成樹脂シート４との固定が堅固なものとなり、しかもこれらの多数の小孔３の周囲の表皮２が縫い目によって補強されるので、長年の使用によっても、その表皮２から合成樹脂シ−ト４が剥がれてしまうことも表皮２が破損するようなこともなく、さらに特殊な装飾シートを設けないでも装飾効果を高めることができるものとなった。
【符号の説明】
【００２７】
１  鞄本体
２  表皮
３  小孔
４  合成樹脂シート
５  ミシン針
６  カッター
７  縫製兼用切断手段
【図１】
0005563337.tif 000002
【図２】
0005563337.tif 000003
【図３】
0005563337.tif 000004
【図４】
0005563337.tif 000005
【図５】
0005563337.tif 000006
【図６】
0005563337.tif 000007
【図７】
0005563337.tif 000008
【図８】
0005563337.tif 000009